(57)【要約】【課題】静止輪（外輪）をハウジングに嵌合させる際の組付性（取付性）に優れていると共に、回り止め構造の早期の劣化を防止することで、長期に亘って軸受を安定して、かつ、精度よく回転させ続けることを可能にする回り止め付き軸受を提供する。【解決手段】回転輪２に対向する静止輪４とハウジングＨとの相対回転を防止する回り止め構造は、静止輪及びハウジングのいずれか一方の周面を静止輪の中心軸Ａｘに沿って一部平行に突出させた凸部Ｐと、静止輪及びハウジングのいずれか他方の周面を凸部に対向して一部窪ませることで凸部を収容し、互いに係合可能な凹部Ｇとを備え、凹部には周方向両側に凹部側面Ｇｓが構成され、凹部側面は中心軸側の基点Ｔから径方向外側に向って所定角度θで末広がり状に傾斜した傾斜面を成して構成配置され、基点が中心軸から径方向に沿って所定距離だけ離間し凸部側面と凹部側面とは互いに面状に接触する。【選択図】図１
0003202708.tif 000002
【実用新案登録請求の範囲】
【請求項１】
回転体に嵌合されて共に回転する回転輪と、
前記回転輪に対向配置され、かつ、ハウジングに嵌合される静止輪と、
前記静止輪と前記ハウジングとの相対的な回転を防止する回り止め構造とを有する回り止め付き軸受であって、
前記回り止め構造は、
前記静止輪及び前記ハウジングのいずれか一方の周面を、前記静止輪の中心軸に沿って一部平行に突出させることで形成された凸部と、
前記静止輪及び前記ハウジングのいずれか他方の周面を、前記凸部に対向して一部を窪ませることで形成され、前記凸部を収容し、かつ、前記凸部と周方向に隙間を持って係合可能な凹部とを備えており、
前記凸部には、前記中心軸回りに沿った方向の周方向両側に、凸部側面がそれぞれ構成され、
前記凹部には、前記中心軸回りに沿った方向の周方向両側に、凹部側面がそれぞれ構成され、
前記一対の凹部側面は、前記中心軸側に設定され１つの基点から径方向外側に向って、所定角度で末広がり状に傾斜した傾斜面を成して構成配置され、
前記基点は、前記回り止め構造が構成された部位とは前記中心軸を挟んで径方向反対側に設定され、前記中心軸から径方向に沿って所定距離だけ離間し、
前記静止輪と前記ハウジングとが相対的に回転した場合、前記凸部側面と前記凹部側面とは、互いに面状に接触することを特徴とする回り止め付き軸受。
【請求項２】
前記凸部には、前記中心軸回りに沿った方向の周方向両側に、前記凸部側面がそれぞれ構成され、かつ、前記一対の凸部側面は、前記中心軸を直交する方向に沿って互いに平行な位置関係を成して配置されており、
前記静止輪と前記ハウジングとが相対的に回転した場合、前記凸部側面と、前記凹部側面とは、互いに平行な位置関係を維持しつつ、かつ、互いに面状に接触するように前記所定角度を設定することを特徴とする請求項１に記載の回り止め付き軸受。
【請求項３】
前記一対の凹部側面は、前記凹部の周方向幅を一定値とし、前記所定距離を大きくすると、これに従って、前記所定角度が小さくなり、前記所定距離を小さくすると、これに従って、前記所定角度が大きくなることを特徴とする請求項１又は２に記載の回り止め付き軸受。
【請求項４】
前記静止輪は、当該静止輪の外周から径方向に沿って周方向に連続したフランジを突出させ、当該フランジに前記凹部並びに前記一対の凹部側面を構成することを特徴とする請求項１から３のいずれかに記載の回り止め付き軸受。
【考案の詳細な説明】
【技術分野】
【０００１】
本考案は、例えば転がり軸受を回転体とハウジングとの間に組み込んだ状態において、静止輪とハウジングとの相対的な回転を防止するための回り止め構造を有する回り止め付き軸受に関する。
【背景技術】
【０００２】
従来、回転体とハウジングとの間に組み込まれる軸受には、その静止輪とハウジングとの相対的な回転を防止するための各種の回り止め構造が適用されている（例えば、特許文献１参照）。その一例として、回り止め構造は、ハウジングの内周に形成された凸部と、静止輪の外周に形成された凹部とを互いに係合させることで、静止輪とハウジングとの相対的な回転を防止するものが知られている。
【０００３】
具体的に説明すると、図４(ａ)に示すように、回り止め構造を有する軸受は、回転体Ｒ（回転シャフトともいう）に嵌合されて共に回転する回転輪２（例えば、内輪）と、回転輪２の外周に対向配置され、かつ、ハウジングＨに嵌合されて固定される静止輪４（例えば、外輪）と、回転輪２と静止輪４との間（内外輪２,４間）に沿って転動自在に組み込まれた複数の転動体６と、これら転動体６を保持する保持器８とを備えている。なお、転動体６としては、「玉」や「ころ」を適用することができる。
【０００４】
そして、回り止め構造は、ハウジングＨの内周面を、上記した軸受（具体的には、静止輪４（外輪））の中心軸Ａｘ（軸受或いは回転体Ｒの回転軸ともいう）に沿って一部平行に突出させることで形成された凸部Ｐと、静止輪４（外輪）の外周面を、凸部Ｐに対向して一部窪ませることで形成され、凸部Ｐを収容し、かつ、互いに係合可能な凹部Ｇとを備えている。この場合、凸部Ｐの周方向両側（中心軸Ａｘ回りに沿った方向の両側）には、凸部側面Ｐｓが構成されており、凹部Ｇの周方向両側（中心軸Ａｘ回りに沿った方向の両側）には、凹部側面Ｇｓが構成されている。
【０００５】
このような構成において、ハウジングＨの凸部Ｐの両側に構成された一対の凸部側面Ｐｓは、中心軸Ａｘを直交する方向に沿って互いに平行な位置関係（具体的には、中心軸Ａｘを直交し、かつ、当該中心軸Ａｘに沿って平行に延出する仮想平面Ｓに対して、それぞれ平行な位置関係）を成して配置されている。また、静止輪４（外輪）の凹部Ｇの両側に構成された一対の凹部側面Ｇｓは、中心軸Ａｘを直交する方向に沿って互いに平行な位置関係（具体的には、上記した仮想平面Ｓに対して、それぞれ平行な位置関係）を成して配置されている。これにより、凸部側面Ｐｓと凹部側面Ｇｓとは、互いに平行な位置関係を成して対向配置されている。
【先行技術文献】
【特許文献】
【０００６】
【特許文献１】特開２００７−９２８６３号公報
【考案の概要】
【考案が解決しようとする課題】
【０００７】
ところで、静止輪４（外輪）をハウジングＨに嵌合させる際には、静止輪４（外輪）に形成された凹部Ｇを、ハウジングＨに形成された凸部Ｐに組み付ける（取り付ける）作業が行われるが、このときの組付性（取付性）を向上させるために、凸部Ｐの幅寸法Ｗ１よりも凹部Ｇの幅寸法Ｗ２を周方向に沿って広げる（大きくする）場合がある。なお、幅寸法Ｗ１,Ｗ２は、中心軸Ａｘ回りにおける周方向に沿った値として規定される。
【０００８】
かかる構成によれば、例えば図４(ｂ)に示すように、軸受回転中（即ち、回転輪２（内輪）が回転体Ｒと共に回転中）に、静止輪４（外輪）とハウジングＨとが相対的に回転した場合、静止輪４（外輪）の凹部Ｇの両外径端Ｇｔ（エッジ、或いは、各凹部側面Ｇｓの先端ともいう）が、ハウジングＨの凸部Ｐの凸部側面Ｐｓに接触（具体的には、線接触、或いは、点接触）する。そして、このときの接触圧の程度によっては、凸部側面Ｐｓに対する凹部Ｇの外径端Ｇｔの接触面圧が局部的に高くなり、その結果、当該凸部側面Ｐｓが破損したり損傷したりする虞がある。
【０００９】
そうなると、当該凸部側面Ｐｓ破損や損傷の程度によっては、回り止め構造が早期に劣化し、これにより、ハウジングＨに対して静止輪４（外輪）を安定して嵌合固定させ続けることが困難になり、その結果、長期に亘って軸受を安定して、かつ、精度よく回転させ続けることができなくなってしまう虞がある。
【００１０】
本考案は、かかる問題を解決するためになされており、その目的は、静止輪（外輪）をハウジングに嵌合させる際の組付性（取付性）に優れていると共に、回り止め構造の早期の劣化を防止することで、長期に亘って軸受を安定して、かつ、精度よく回転させ続けることを可能にする回り止め付き軸受を提供することにある。
【課題を解決するための手段】
【００１１】
このような目的を達成するために、本考案は、回転体に嵌合されて共に回転する回転輪と、前記回転輪に対向配置され、かつ、ハウジングに嵌合される静止輪と、前記静止輪と前記ハウジングとの相対的な回転を防止する回り止め構造とを有する回り止め付き軸受であって、前記回り止め構造は、前記静止輪及び前記ハウジングのいずれか一方の周面を、前記静止輪の中心軸に沿って一部平行に突出させることで形成された凸部と、前記静止輪及び前記ハウジングのいずれか他方の周面を、前記凸部に対向して一部を窪ませることで形成され、前記凸部を収容し、かつ、前記凸部と周方向に隙間を持って係合可能な凹部とを備えており、前記凸部には、前記中心軸回りに沿った方向の周方向両側に、凸部側面がそれぞれ構成され、前記凹部には、前記中心軸回りに沿った方向の周方向両側に、凹部側面がそれぞれ構成され、前記一対の凹部側面は、前記中心軸側に設定され１つの基点から径方向外側に向って、所定角度で末広がり状に傾斜した傾斜面を成して構成配置され、前記基点は、前記回り止め構造が構成された部位とは前記中心軸を挟んで径方向反対側に設定され、前記中心軸から径方向に沿って所定距離だけ離間し、前記静止輪と前記ハウジングとが相対的に回転した場合、前記凸部側面と前記凹部側面とは、互いに面状に接触する。
本考案において、前記凸部には、前記中心軸回りに沿った方向の周方向両側に、前記凸部側面がそれぞれ構成され、かつ、前記一対の凸部側面は、前記中心軸を直交する方向に沿って互いに平行な位置関係を成して配置されており、前記静止輪と前記ハウジングとが相対的に回転した場合、前記凸部側面と、前記凹部側面とは、互いに平行な位置関係を維持しつつ、かつ、互いに面状に接触するように前記所定角度を設定する。
本考案において、前記一対の凹部側面は、前記凹部の周方向幅を一定値とし、前記所定距離を大きくすると、これに従って、前記所定角度が小さくなり、前記所定距離を小さくすると、これに従って、前記所定角度が大きくなる。
本考案において、前記静止輪は、当該静止輪の外周から径方向に沿って周方向に連続したフランジを突出させ、当該フランジに前記凹部並びに前記一対の凹部側面を構成する。
【考案の効果】
【００１２】
本考案によれば、静止輪（外輪）をハウジングに嵌合させる際の組付性（取付性）に優れていると共に、回り止め構造の早期の劣化を防止することで、長期に亘って軸受を安定して、かつ、精度よく回転させ続けることを可能にする回り止め付き軸受を実現することができる。
【図面の簡単な説明】
【００１３】
【図１】(ａ)は、本考案の一実施形態に係る回り止め付き軸受の構成を示す側面図、(ｂ)は、同図(ａ)に示された回り止め付き軸受において、静止輪（外輪）とハウジングとが相対的に回転した状態を示す側面図。
【図２】(ａ)は、本考案の一実施形態に係る回り止め付き軸受に備えられた静止輪（外輪）の構成を示す斜視図、(ｂ)は、同図(ａ)に示された回り止め付き軸受において、本考案の一実施形態に係る回り止め付き軸受に備えられた静止輪（外輪）の他の構成を示す斜視図。
【図３】(ａ)は、本考案の変形例に係る回り止め付き軸受の構成を示す側面図、(ｂ)は、同図(ａ)に示された回り止め付き軸受において、静止輪（外輪）とハウジングとが相対的に回転した状態を示す側面図。
【図４】(ａ)は、従来の回り止め付き軸受の構成を示す側面図、(ｂ)は、同図(ａ)に示された回り止め付き軸受において、静止輪（外輪）とハウジングとが相対的に回転した状態を示す側面図。
【考案を実施するための形態】
【００１４】
以下、本考案の一実施形態に係る回り止め付き軸受について、添付図面を参照して説明する。
なお、本実施形態は、図４(ａ)に示された回り止め付き軸受の改良であるため、以下、改良部分の説明にとどめる。この場合、当該回り止め付き軸受（図４(ａ)）と同一の構成については、その構成に付された参照符号と同一の符号を、本実施形態に用いた図面上に付すことで、その説明を省略（簡略）する。
【００１５】
図１(ａ)、(ｂ)及び図２(ａ)に示すように、本実施形態の回り止め付き軸受において、回り止め構造は、静止輪４及びハウジングＨのいずれか一方の周面を、静止輪４の中心軸Ａｘ（軸受或いは回転体Ｒの回転軸ともいう）に沿って一部平行に突出させることで形成された凸部Ｐと、静止輪４及びハウジングＨのいずれか他方の周面を、凸部Ｐに対向して一部窪ませることで形成され、凸部Ｐを収容し、かつ、互いに係合可能な凹部Ｇとを備えている。
【００１６】
本実施形態では、一例として、静止輪４を外輪とし、また、当該静止輪４（外輪）の内周に対向配置され、かつ、回転体Ｒ（回転シャフトともいう）に嵌合されて共に回転する回転輪２を、内輪とした回り止め付き軸受を想定する。なお、当該軸受における他の構成については、図４(ａ)と同様であるため、その説明は省略する。
【００１７】
この場合、凸部Ｐは、ハウジングＨの内周面を、上記した軸受（具体的には、静止輪４（外輪））の中心軸Ａｘに沿って一部平行に突出させることで形成されている。一方、凹部Ｇは、静止輪４（外輪）の外周面を、凸部Ｐに対向して一部窪ませることで形成され、凸部Ｐを収容し、かつ、互いに係合可能に構成されている。なお、凸部Ｐの突出量（突出長）及び凹部Ｇの窪ませ量（窪ませ深さ）については、静止輪４（外輪）の径方向幅（肉厚）に応じて設定されるため、ここでは特に数値限定しない。
【００１８】
また、凸部Ｐには、中心軸Ａｘ回りに沿った方向の周方向両側に、凸部側面Ｐｓがそれぞれ構成されており、これら一対の凸部側面Ｐｓは、中心軸Ａｘを直交する方向に沿って互いに平行な位置関係（具体的には、中心軸Ａｘを直交し、かつ、当該中心軸Ａｘに沿って平行に延出する仮想平面Ｓに対して、それぞれ平行な位置関係）を成して配置されている。
【００１９】
一方、凹部Ｇには、中心軸Ａｘ回りに沿った方向の周方向両側に、凹部側面Ｇｓがそれぞれ構成されており、これら一対の凹部側面Ｇｓは、中心軸Ａｘ側に設定された１つの基点Ｔから径方向外側に向って、所定角度θで末広がり状に傾斜した傾斜面を成して構成配置されている。別の捉え方をすると、一対の凹部側面Ｇｓは、上記した仮想平面Ｓに対してその両側に、基点Ｔから径方向外側に向って所定の傾斜角度θで末広がり状に傾斜した傾斜面を成して構成配置されている。
【００２０】
ここで、中心軸Ａｘ側に設定された１つの基点Ｔは、回り止め構造が構成された部位とは中心軸Ａｘを挟んで径方向反対側に設定されており、基点Ｔは、中心軸Ａｘから径方向に沿って所定距離δだけ離間している。具体的に説明すると、回り止め構造が構成された部位（即ち、凸部Ｐ及び凹部Ｇが構成された部位）と、基点Ｔとが、上記した仮想平面Ｓに沿って位置付けられている場合、凸部Ｐ及び凹部Ｇが構成された部位と、基点Ｔとは、中心軸Ａｘを挟んで両側に対向配置されることとなり、かかる位置関係において、基点Ｔは、中心軸Ａｘから径方向に沿って所定距離δだけ離間している。
【００２１】
この場合、凹部Ｇの周方向幅を一定値とし、中心軸Ａｘから基点Ｔまでの距離δを大きくすると、これに従って、一対の凹部側面Ｇｓの傾斜角度θを小さくすることができる。これに対して、凹部Ｇの周方向幅を一定値とし、中心軸Ａｘから基点Ｔまでの距離δを小さくすると、これに従って、一対の凹部側面Ｇｓの傾斜角度θを大きくすることができる。なお、一対の凹部側面Ｇｓの傾斜角度θの大小変化については、例えば、凸部Ｐの大きさ、周方向幅などに応じて設定されるため、ここでは特に数値限定しない。
【００２２】
ここで、一対の凹部側面Ｇｓの傾斜角度θを、例えば凸部Ｐの大きさ、周方向幅などに応じて設定した場合を想定すると、回転輪２（内輪）を回転体Ｒに嵌合させると共に、静止輪４（外輪）をハウジングＨに嵌合させることで、回り止め付き軸受を回転体ＲとハウジングＨとの間に組み込んだ状態において、静止輪４（外輪）とハウジングＨとが相対的に回転した場合、凸部Ｐと凹部Ｇとは、互いに面状に接触する。
【００２３】
即ち、静止輪４（外輪）とハウジングＨとが相対的に回転した場合、凸部Ｐに構成された凸部側面Ｐｓと、凹部Ｇに構成された凹部側面Ｇｓとは、互いに平行な位置関係を維持しつつ、かつ、互いに面状に接触する。この場合、「面状に接触する」とは、凸部側面Ｐｓと凹部側面Ｇｓとが、互いに線接触、或いは、点接触すること無く、かつ、互いに隙間無く接触することを指す。
【００２４】
以上、本実施形態によれば、静止輪４（外輪）をハウジングＨに嵌合させる際、静止輪４（外輪）に形成された凹部Ｇを、ハウジングＨに形成された凸部Ｐに組み付ける（取り付ける）作業の組付性（取付性）を向上させるために、凸部Ｐの幅寸法Ｗ１よりも凹部Ｇの幅寸法Ｗ２を周方向に沿って広げた（大きくした）場合でも（図４(ａ)参照）、凹部Ｇの各凹部側面Ｇｓを、中心軸Ａｘ側に設定された１つの基点Ｔから径方向外側に向って、所定角度θで末広がり状に傾斜した傾斜面を成して構成配置することで、従来の回り止め付き軸受からでは得られない優れた効果を実現することができる。
【００２５】
即ち、例えば図１(ｂ)に示すように、軸受回転中（回転輪２（内輪）が回転体Ｒと共に回転中）に、静止輪４（外輪）とハウジングＨとが相対的に回転した場合、凸部Ｐに構成された凸部側面Ｐｓと、凹部Ｇに構成された凹部側面Ｇｓとが、互いに平行な位置関係を維持しつつ、かつ、互いに面状に接触するため、凸部側面Ｐｓに対して局部的な接触圧が作用することはなく、その結果、当該凸部側面Ｐｓが破損したり損傷したりするといった不具合の発生を防止することができる。
【００２６】
これにより、従来のように当該回り止め構造が早期に劣化するといった事態を完全に防止することができるため、ハウジングＨに対して静止輪４（外輪）を安定して嵌合固定させ続けることが可能となり、その結果、長期に亘って軸受を安定して、かつ、精度よく回転させ続けることができる。
【００２７】
また、本実施形態によれば、上記した一対の凹部側面Ｇｓの傾斜角度θの大小変化については、軸受回転中（回転輪２（内輪）が回転体Ｒと共に回転中）に、静止輪４（外輪）とハウジングＨとが相対的に回転した際、凸部Ｐの凸部側面Ｐｓと凹部Ｇの凹部側面Ｇｓとが互いに面状に接触するように、各凹部側面Ｇｓの傾斜角度θを設定するだけで足りるため、当該回り止め構造の製造プロセスが極めて簡単になり、その結果、当該回り止め構造を有する軸受全体の製造コストを大幅に低減させることができる。
【００２８】
更に、本実施形態によれば、上記した一対の凹部側面Ｇｓの傾斜角度θの大小変化させるだけで、従来の回り止め構造の凹部Ｇの幅寸法Ｗ２（図４(ａ)）に比して、本実施形態の回り止め構造の凹部Ｇ（図１(ａ)）の幅寸法を周方向に沿って広げる（大きくする）ことができる。これにより、静止輪４（外輪）をハウジングＨに嵌合させる際に、静止輪４（外輪）に形成された凹部Ｇを、ハウジングＨに形成された凸部Ｐに組み付ける（取り付ける）作業の組付性（取付性）を、従来に比して飛躍的に向上させることができる。
【００２９】
なお、本考案は、上記した実施形態に限定されることは無く、以下のような構成並びに変形例に係る技術的思想も、本考案の技術的範囲に含まれる。
例えば図２(ｂ)に示すように、回り止め付き軸受に備えられた静止輪４（外輪）の他の構成として、当該静止輪４（外輪）の外周から径方向に沿って周方向に連続したフランジ４ｆを突出させ、当該フランジ４ｆに、上記した実施形態と同様の凹部Ｇ並びに一対の凹部側面Ｇｓを構成してもよい。なお、フランジ４ｆの突出量（突出長）や幅（肉厚）については、当該回り止め付き軸受の使用目的や使用環境に応じて設定されるため、ここでは特に数値限定しない。要するに、回り止めに必要な強度が確保できるように、フランジ４ｆの突出量（突出長）や幅（肉厚）を設定すればよい。
【００３０】
また、上記した実施形態では、凸部ＰをハウジングＨの内周面に形成すると共に、凹部Ｇを静止輪４（外輪）の外周面に形成する場合を想定して説明したが、これに代えて、例えば図３(ａ),(ｂ)に示すように、本考案の変形例に係る回り止め付き軸受として、凸部Ｐを静止輪４（外輪）の外周面に形成すると共に、凹部ＧをハウジングＨの内周面に形成してもよい。
【００３１】
この場合、凸部Ｐは、静止輪４（外輪）の外周面を、上記した軸受（具体的には、静止輪４（外輪））の中心軸Ａｘに沿って一部平行に突出させることで形成されている。一方、凹部Ｇは、ハウジングＨの内周面を、凸部Ｐに対向して一部窪ませることで形成され、凸部Ｐを収容し、かつ、互いに係合可能に構成されている。なお、凸部Ｐの突出量（突出長）及び凹部Ｇの窪ませ量（窪ませ深さ）については、ハウジングＨの径方向幅（肉厚）に応じて設定されるため、ここでは特に数値限定しない。
【００３２】
また、凸部Ｐには、中心軸Ａｘ回りに沿った方向の周方向両側に、凸部側面Ｐｓがそれぞれ構成されており、これら一対の凸部側面Ｐｓは、中心軸Ａｘを直交する方向に沿って互いに平行な位置関係（具体的には、中心軸Ａｘを直交し、かつ、当該中心軸Ａｘに沿って平行に延出する仮想平面Ｓに対して、それぞれ平行な位置関係）を成して配置されている。
【００３３】
一方、凹部Ｇには、中心軸Ａｘ回りに沿った方向の周方向両側に、凹部側面Ｇｓがそれぞれ構成されており、これら一対の凹部側面Ｇｓは、中心軸Ａｘ側に設定された１つの基点Ｔから径方向外側に向って、所定角度θで末広がり状に傾斜した傾斜面を成して構成配置されている。別の捉え方をすると、一対の凹部側面Ｇｓは、上記した仮想平面Ｓに対してその両側に、基点Ｔから径方向外側に向って所定の傾斜角度θで末広がり状に傾斜した傾斜面を成して構成配置されている。
【００３４】
ここで、中心軸Ａｘ側に設定された１つの基点Ｔは、回り止め構造が構成された部位とは中心軸Ａｘを挟んで径方向反対側に設定されており、基点Ｔは、中心軸Ａｘから径方向に沿って所定距離δだけ離間している。具体的に説明すると、回り止め構造が構成された部位（即ち、凸部Ｐ及び凹部Ｇが構成された部位）と、基点Ｔとが、上記した仮想平面Ｓに沿って位置付けられている場合、凸部Ｐ及び凹部Ｇが構成された部位と、基点Ｔとは、中心軸Ａｘを挟んで両側に対向配置されることとなり、かかる位置関係において、基点Ｔは、中心軸Ａｘから径方向に沿って所定距離δだけ離間している。
【００３５】
この場合、凹部Ｇの周方向幅を一定値とし、中心軸Ａｘから基点Ｔまでの距離δを大きくすると、これに従って、一対の凹部側面Ｇｓの傾斜角度θを小さくすることができる。これに対して、凹部Ｇの周方向幅を一定値とし、中心軸Ａｘから基点Ｔまでの距離δを小さくすると、これに従って、一対の凹部側面Ｇｓの傾斜角度θを大きくすることができる。なお、一対の凹部側面Ｇｓの傾斜角度θの大小変化については、例えば、凸部Ｐの大きさ、周方向幅などに応じて設定されるため、ここでは特に数値限定しない。
【００３６】
ここで、一対の凹部側面Ｇｓの傾斜角度θを、例えば凸部Ｐの大きさ、周方向幅などに応じて設定した場合を想定すると、回転輪２（内輪）を回転体Ｒに嵌合させると共に、静止輪４（外輪）をハウジングＨに嵌合させることで、回り止め付き軸受を回転体ＲとハウジングＨとの間に組み込んだ状態において、静止輪４（外輪）とハウジングＨとが相対的に回転した場合、凸部Ｐと凹部Ｇとは、互いに面状に接触する。
【００３７】
即ち、静止輪４（外輪）とハウジングＨとが相対的に回転した場合、凸部Ｐに構成された凸部側面Ｐｓと、凹部Ｇに構成された凹部側面Ｇｓとは、互いに平行な位置関係を維持しつつ、かつ、互いに面状に接触する。この場合、「面状に接触する」とは、凸部側面Ｐｓと凹部側面Ｇｓとが、互いに線接触、或いは、点接触すること無く、かつ、互いに隙間無く接触することを指す。
なお、上記した構成を有する本変形例の効果については、上記した実施形態と同様であるため、その説明は省略する。
また、上記した実施形態では、回転輪２を内輪、静止輪４を外輪として説明したが、これに代えて、回転輪２を外輪、静止輪４を内輪とした場合でも同様の効果が得られる。
【符号の説明】
【００３８】
２  回転輪（内輪）
４  静止輪（外輪）
Ａｘ  中心軸
Ｇ  凹部
Ｇｓ  凹部側面
Ｈ  ハウジング
Ｔ  基点
θ  凹部側面の傾斜角度
【図１】
0003202708.tif 000003
【図２】
0003202708.tif 000004
【図３】
0003202708.tif 000005
【図４】
0003202708.tif 000006